(57)【要約】【課題】  外壁面材の両側枠体や間柱等の枠体に近傍する部分と、外壁面材のその他の部分との温度差を小さいものとして外壁面材に結露むらが発生することがない外壁構造と、そのような外壁構造を備えた建物を提供すること。【解決手段】    外壁面材１と内壁面材２の間に間柱等の枠体３が設けられてパネル本体が形成され、その間隙に断熱材４が配設された壁パネルにおいて、外壁面材１が間柱等の枠体３に当接している部分の外側にはアルミテープからなる金属板５１（放熱材）が張設され、その外側に目地材６他の仕上げを施している。【選択図】        図１
2005171523.tif 000002
【特許請求の範囲】
【請求項１】
外壁面材の屋内側に間柱等の枠体が設けられたパネル本体内に断熱材を配設してなる外壁構造であって、上記外壁面材が上記枠体に当接する部分の近傍に放熱材を設けたことを特徴とする外壁構造。
【請求項２】
放熱材が、金属テープであることを特徴とする請求項１記載の外壁構造。
【請求項３】
放熱材が、カーボン繊維の収束体であることを特徴とする請求項１記載の外壁構造。
【請求項４】
放熱材が、金属網体であることを特徴とする請求項１記載の外壁構造。
【請求項５】
請求項１〜４のいずれか１項記載の外壁構造を備えたことを特徴とする建物。
【発明の詳細な説明】
【技術分野】
【０００１】
この発明は、外壁構造と、この外壁構造を備えた建物に関する。
【背景技術】
【０００２】
建物の外壁として、外壁面材と内壁面材とを間柱等の枠体を介して間隙をおいて設け、その間隙に断熱材を配設した構造の外壁が用いられることが多い。
このような建物の外壁構造にあっては、室内側の熱が、間柱等の枠体を介して外壁面材側に伝わることになるので、外壁面材の間柱等の枠体と当接する部分は、外壁面材の他の部分より高温になりやすく、その外壁面に一時的にも結露むらが生じ、建物の外壁面に違和感を与えることがある。
【０００３】
一方、外壁面に結露が発生することを防止するため、外壁を構成する壁パネル内に通風路を形成し、この通風路と外部空間とを連通するようにした壁パネルの通気構造が提案されている（たとえば、特許文献１参照）。
【特許文献１】特開平７−１５０６４８号公報
【０００４】
この壁パネルの通気構造は、四辺を両側枠体及び上下枠体によって囲い、両側枠体及び上下枠体の両側面に外壁材と内壁材を固定してパネル本体を構成し、このパネル本体内に断熱材を配設するにあたり、断熱材を、前記両側枠体及び上下枠体の厚みに比して薄くすると共に、この断熱材の外壁材側面に防水紙を張設して外壁材との間隙に通風路を形成し、前記上下枠体には、通風路と外部空間とを連通する複数の切欠きを形成した構成にしている。
そして、このパネル本体においては、両側枠体の間に、上下枠体に上下端を接続する枠体（間柱）を鉛直方向に設けている。
【発明の開示】
【発明が解決しようとする課題】
【０００５】
上記の壁パネルの通気構造においては、外気は、パネル本体に形成された通風路と上下枠体に形成した切欠きを通り、内部の湿気を排出することによって、結露の発生を防止するものである。
しかし、この壁パネルの通気構造においては、両側枠体と枠体（間柱）に外壁材が直接当接されて固定されている。
このため、室内側の熱が、両側枠体や枠体（間柱）を介して外壁材側に伝わることになり、外壁面の両側枠体と枠体（間柱）に当接する部分は、外壁材の他の部分より高温になりやすく、その外壁面に一時的にも結露むらが生じ、建物の外壁面に違和感を与えることを完全に防ぎ得ない。
【０００６】
この発明は、上記の問題を解消するためになされたものであって、外壁面材の両側枠体や間柱等の枠体に近傍する部分と、外壁面材のその他の部分との温度差を小さいものとして外壁面材に結露むらが発生することがない外壁構造と、そのような外壁構造を備えた建物を提供することを目的とする。
【課題を解決するための手段】
【０００７】
請求項１記載の外壁構造は、外壁面材の屋内側に間柱等の枠体が設けられたパネル本体内に断熱材を配設してなる外壁であって、上記外壁面材が上記枠体に当接する部分の近傍に放熱材を設けたことを特徴とする。
【０００８】
請求項２記載の外壁構造は、請求項１記載の外壁構造において、放熱材が、金属テープであることを特徴とする。
【０００９】
請求項３記載の外壁構造は、請求項１記載の外壁構造において、放熱材が、カーボン繊維の収束体であることを特徴とする。
【００１０】
請求項４記載の外壁構造は、請求項１記載の外壁構造において、放熱材が、金属網体であることを特徴とする。
【００１１】
請求項３記載の建物は、請求項１〜４のいずれか１項記載の外壁構造を備えたことを特徴とする。
【発明の効果】
【００１２】
請求項１記載の外壁構造にあっては、外壁面材が間柱等の枠体に当接する部分の近傍に放熱材を設けたので、建物の室内側の内壁面材の熱が間柱等の枠体を介して外壁面材側に伝わっても、その熱は放熱材により放熱され、外壁面材が枠体が当接する部分の近傍の温度上昇が少なく、外壁面材に結露むらが発生することがなくなる。
【００１３】
請求項２記載の外壁構造にあっては、放熱材が金属テープであるので、建物の室内側の内壁面材の熱が間柱等の枠体を介して外壁面材側に伝わっても、その熱は金属テープにより放熱され、外壁面材が間柱等の枠体が当接する部分の近傍の温度上昇が少なく、外壁面材に結露むらが発生することがなくなる。
【００１４】
請求項３記載の外壁構造にあっては、放熱材がカーボン繊維の収束体であるので、建物の室内側の内壁面材の熱が間柱等の枠体を介して外壁面材側に伝わっても、その熱はカーボン繊維の収束体により放熱され、外壁面材が間柱等の枠体に当接する部分の近傍の温度上昇が少なく、外壁面材に結露むらが発生することがなくなる。
【００１５】
請求項４記載の外壁構造にあっては、放熱材が金属網体であるので、建物の室内側の内壁面材の熱が間柱等の枠体を介して外壁面材側に伝わっても、その熱は金属網体により放熱され、外壁面材が間柱等の枠体が当接する部分の近傍の温度上昇が少なく、外壁面材に結露むらが発生することがなくなる。
【００１６】
請求項５記載の建物にあっては、請求項１〜４のいずれか１項記載の外壁構造を備えているので、建物の外壁面に結露むらが発生することがなくなり、建物の外観に違和感を与えることがない。
【発明を実施するための最良の形態】
【００１７】
この発明を実施するための最良の形態を図面を参照して説明する。
なお、以下の説明図においては、外壁面材１の屋外側の各構成層を実際より１０倍以上厚く表現して理解し易くしている。
【００１８】
（実施の形態１）
図１は、この発明の建物の外壁構造の一例を示す横断面図である。
図１において、１は外壁面材、２は内壁面材、３は間柱（枠体）、４は断熱材、５１は金属板（放熱材）である。
【００１９】
外壁面材１と内壁面材２の間に間柱等の枠体３が設けられてパネル本体が形成され、その外壁面材１と内壁面材２との間隙に断熱材４が配設された壁パネルが、図示していない建物の外壁部に取り付けられている。
【００２０】
外壁面材１として木片セメント板が用いられているが、これに限らず例えば木毛セメント板、押出しセメント板等を用いてもよい。また、内壁面材２として石膏ボードが用いられているが、これに限らず例えば強化石膏ボード、木片セメント板、珪酸カルシウム板、スレート板等を用いてもよい。。
断熱材４としては合成樹脂発泡体を使用することも可能であるが、ガラスウール、ロックウール等の無機質系の断熱材が不燃性でありより好ましい。
【００２１】
外壁面材１が間柱等の枠体３に当接している部分の外側にはアルミテープからなる金属板５１が張設され、その外側に目地材６が設けられている。
このアルミテープからなる金属板５１は、内壁面材２から枠体３を通って伝わる熱を放熱するための放熱材として設けられているものであるが、放熱材としては、アルミテープ以外の金属テープであってもよく、また金属メッシュやカーボン繊維の収束体であってもよい。
【００２２】
上記目地材６は目地パテ７で覆われ、さらに平吹８、玉吹９、仕上げ１０等が施されて建物の外壁が形成されている。
【００２３】
この実施の形態１の外壁構造と、アルミテープからなる金属板５１を設けなかった従来の外壁構造の外壁温度を測定して比較した。
従来のものにあっては、間柱等の枠体がある部分の外壁の表面温度と、間柱等の枠体がない部分の外壁の表面温度の温度差はほぼ０．４℃であった。
これに対し、アルミテープからなる金属板５１を設けたこの実施の形態１の外壁構造にあっては、間柱等の枠体がある部分の外壁の表面温度と、間柱等の枠体がない部分の外壁の表面温度の温度差はほぼ０．１℃であった。
【００２４】
このように、この実施の形態１の外壁構造とこの外壁構造を備えた建物にあっては、外壁面材１が間柱等の枠体３に当接する部分の外側にアルミテープからなる金属板５１からなる放熱材を設けたので、建物の室内側の内壁面材２の熱が間柱等の枠体３を介して外壁面材１側に伝わっても、その熱はアルミテープからなる金属板５１からなる放熱材により放熱され、外壁面材が枠体が当接する部分の近傍の温度上昇が少なく、外壁面材表面に温度差が生じ難く、外壁面材表面に結露むらが発生することがなくなる。
【００２５】
（実施の形態２）
図２は、この発明の建物の外壁構造の他の例を示す横断面図である。
図２においては、図１に示す実施の形態１と実質的に同一部分については同じ符号を付し、説明を省略することがある。
図２において、１は外壁面材、２は内壁面材、３は間柱（枠体）、４は断熱材、５２は金属メッシュ（放熱材）である。
【００２６】
外壁面材１と内壁面材２の間に間柱等の枠体３が設けられてパネル本体が形成され、その外壁面材１と内壁面材２との間隙に断熱材４が配設された壁パネルが、図示していない建物の外壁部に取り付けられている。
【００２７】
外壁面材１が間柱等の枠体３に当接している部分の外側に目地材６が設けられ、目地パテ７で覆われている。
さらに、平吹８が、目地パテ７の外側と、間柱等の枠体３がない部分の外壁面材１の外側に施されているが、目地パテ７の外側の平吹８内には、放熱材としての金属メッシュ５２が埋め込まれている。
この平吹８の外側に、玉吹９、仕上げ１０等が施されて建物の外壁が形成されている。      
【００２８】
この実施の形態２では、放熱材としての金属メッシュ５２が用いられているが、カーボン繊維の収束体であってもよい。また、図１で示したアルミテープからなる金属板５１であってもよい。
【００２９】
この実施の形態２の外壁構造と、金属メッシュ５２を設けなかった従来の外壁構造の外壁温度を測定して比較した。
従来のものにあっては、間柱等の枠体がある部分の外壁の表面温度と、間柱等の枠体がない部分の外壁の表面温度の温度差はほぼ０．４℃であった。
これに対し、金属メッシュ５２を設けたこの実施の形態２の外壁構造にあっては、間柱等の枠体がある部分の外壁の表面温度と、間柱等の枠体がない部分の外壁の表面温度の温度差はほぼ０．１℃であった。
【００３０】
このように、この実施の形態２の外壁構造とこの外壁構造を備えた建物にあっては、外壁面材１が間柱等の枠体３に当接する部分の近傍の平吹８中に金属メッシュ５２からなる放熱材を設けたので、建物の室内側の内壁面材２の熱が間柱等の枠体３を介して外壁面材１側に伝わっても、その熱はアルミテープからなる金属板５１からなる放熱材により放熱され、外壁面材が枠体が当接する部分の近傍の温度上昇が少なく、外壁面材表面に温度差が生じ難く、外壁面材表面に結露むらが発生することがなくなる。
【産業上の利用可能性】
【００３１】
この発明によれば、外壁面材が枠体が当接する部分の近傍の温度上昇が少なく、外壁面材表面に温度差が生じ難く、外壁面材表面に結露むらが発生することがなくなるので、建物の外壁に適用することによって、建物の外観に違和感を生じさせない。
【図面の簡単な説明】
【００３２】
【図１】この発明の外壁構造を備えた建物の一例を示す横断面図である。
【図２】この発明の外壁構造を備えた建物の他の例を示す横断面図である。
【符号の説明】
【００３３】
１        外壁面材
２        内壁面材
３        間柱（枠体）
４        断熱材
５１、５２    放熱材
６        目地材
【図１】
2005171523.tif 000003
【図２】
2005171523.tif 000004